【事件の表示】
　特許第３１８７１１０号「吸収性物品」の請求項１ないし７に係る特許に対する特許異議の申立てについて、次のとおり決定する。
【結　論】
　訂正を認める。
　特許第３１８７１１０号の請求項１ないし６に係る特許を維持する。
【理　由】
１．手続の経緯
　本件特許第３１８７１１０号は、平成４年１月３１日（優先権主張平成３年３月１日）の出願に係り、平成１３年５月１１日に設定登録がなされ、平成１３年７月１１日にその特許掲載公報が発行され、その後、勝野智子及びユニ・チャーム株式会社より特許異議の申立てがなされ、取消しの理由が通知され、その指定期間内である平成１４年６月４日に特許異議意見書の提出とともに訂正請求がなされたものである。
　
２．訂正の適否についての判断
２−１．訂正の内容
  特許権者は本件特許明細書の記載を訂正明細書のとおりに訂正することを求めており、その具体的な内容は以下の通りのものである。
ａ．特許請求の範囲の【請求項１】の記載、
「【請求項１】　液透過性のトップシートと、これに相対するバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記吸収性本体の長手方向に沿う両側縁が自由端となっており、少なくとも上記両側縁に伸縮部材を配置することにより、着用時に上方に起立した股下部に股下ギャザーを形成してあり、上記レッグ開口部に伸縮弾性部材によりレッグギャザーを形成したことを特徴とする吸収性物品。」を、
「【請求項１】　液透過性のトップシートと、これに相対する液不透過性のバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記吸収性本体の長手方向に沿う両側縁が自由端となっており、少なくとも上記両側縁に伸縮部材を配置することにより、着用時に上方に起立した股下部に股下ギャザーを形成してあり、上記レッグ開口部に伸縮弾性部材によりレッグギャザーを形成したことを特徴とする吸収性物品。」と訂正する。
ｂ．特許請求の範囲の【請求項２】の記載、
「【請求項２】　透過性のトップシートと、これに相対するバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記吸収性本体の長手方向に沿う両側縁が自由端となっており、少なくとも上記両側縁に伸縮部材を配置することにより、着用時に上方に起立した股下部に股下ギャザーを形成してあり、上記最外層シートのウエスト開口部とレッグ開口部との間に、伸縮弾性部材により着用者の胴まわりを締め付ける胴回りギャザーを形成したことを特徴とする吸収性物品。」を、
「【請求項２】　液透過性のトップシートと、これに相対する液不透過性のバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記吸収性本体の長手方向に沿う両側縁が自由端となっており、少なくとも上記両側縁に伸縮部材を配置することにより、着用時に上方に起立した股下部に股下ギャザーを形成してあり、上記最外層シートのウエスト開口部とレッグ開口部との間に、伸縮弾性部材により着用者の胴まわりを締め付ける胴回りギャザーを形成したことを特徴とする吸収性物品。」と訂正する。
ｃ．特許請求の範囲の【請求項６】を削除する。
ｄ．特許請求の範囲の【請求項７】の記載、
「【請求項７】　上記吸収性本体が上記最外層シートから剥離自在であることを特徴とする請求項１〜６項の何れかに記載の吸収性物品。」を、
「【請求項６】　上記吸収性本体が上記最外層シートから剥離自在であることを特徴とする請求項１〜５項の何れかに記載の吸収性物品。」と訂正する。
　
２−２．訂正の目的の適否・新規事項の有無・特許請求の範囲の実質的拡張あるいは変更の有無
　訂正事項ａ．は、「バックシート」を液不透過性のものであると限定する訂正であり、特許請求の範囲の減縮を目的とする明細書の訂正に該当する。
　訂正事項ｂ．は、上記訂正事項ａ．と同様に、バックシートを液不透過性のものに限定するとともに、トップシートについて明細書全体の記載からみて、「液不透過性」とすべきところ単に「不透過性」とされていた誤記と認められる記載を訂正するもので、特許請求の範囲の減縮及び誤記の訂正を目的とする明細書の訂正に該当する。
　訂正事項ｃ．は、請求項６を削除する訂正であり、特許請求の範囲の減縮を目的とする明細書の訂正に該当する。
　訂正事項ｄ．は、上記訂正事項ｃ．により請求項６が削除されたので、請求項７の番号を繰り上げるとともに、引用する請求項の番号を訂正後の特許請求の範囲の記載に一致させる訂正であり、明りょうでない記載の釈明を目的とする明細書の訂正に該当する。
　そして、上記の訂正事項は、いずれも、訂正前の明細書に記載された範囲内の訂正であり、実質上特許請求の範囲拡張し、又は変更するものではない。
　
２−３．訂正の適否についての結論
　したがって、上記の訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについて
３−１．異議の申立ての理由の概要
　異議申立人勝野智子は、証拠として下記の甲第１乃至３号証を提出し、本件の訂正前の請求項１及び５乃至７に係る発明は、いずれも甲第１号証に記載された発明であって、特許法第２９条第１項第３号に規定する発明に該当し、特許を受けることができないものであり、また本件の訂正前の請求項１乃至７に係る発明は、いずれも甲第１乃至３号証に記載された発明に基づいて当業者が容易に発明をすることができたものであって、特許法第２９条第２項の規定により特許を受けることができないので、本件訂正前の請求項１乃至７に係る特許を取り消すべきである旨を主張している。
甲第１号証：米国特許第４４９６３６０号明細書
甲第２号証：特開昭６０−１９４９４７号公報
甲第３号証：米国特許第２７３３７１５号明細書
　異議申立人ユニ・チャーム株式会社は、証拠として、下記の甲第１乃至６号証を提出し、本件の訂正前の請求項１乃至７に係る特許は、いずれも甲第１乃至３号証に記載された発明に基づいて、また、甲第４号証及び／または甲第６号証に記載された事項と甲第５号証に記載された事項とを組み合わせることにより、当業者が容易に発明をすることができたものであって、特許法第２９条第２項の規定により特許を受けることができないので、本件訂正前の請求項１乃至７に係る特許を取り消すべきである旨を主張している。
甲第１号証：特表平１−５０３４７３号公報
甲第２号証：特開平２−４３６７号公報
甲第３号証：特開昭５９−７６９０３号公報
甲第４号証：実願昭６２−４０４７４号（実開昭６３−１４８３２３号）のマイクロフィルム
甲第５号証：米国特許第２９５４７７０号明細書
甲第６号証：特開昭６０−１９３４６１号公報　
　
３−２．取消しの理由の概要
　当審が平成１４年３月２６日付けで通知した取消しの理由の概要は以下のとおりである。
理由１
　（訂正前の）本件特許明細書の【特許請求の範囲】の【請求項６】に記載された「バックシートが撥水性であること」について、【発明の詳細な説明】には、バックシートが撥水性であることについては何も記載されていないので、上記請求項６に記載された発明は発明の詳細な説明に記載したものとはいえない。したがって、（訂正前の）本件特許明細書の【特許請求の範囲】の【請求項６】の記載は特許法第３６条第５項第１号に規定する要件に適合しないので、（訂正前の）本件請求項６に係る特許は取り消されるべきである。
理由２
　（訂正前の）本件請求項１乃至７に係る発明は、いずれも、その出願前に頒布された下記の刊行物に記載された発明に基づいて当業者が容易に発明をすることができたものであって、特許法第２９条第２項の規定により、特許を受けることができないものであるから、その特許は取り消されるべきである。
刊行物１：特開昭６０−１９４９４７号公報（異議申立人勝野智子の提出した甲第２号証）
刊行物２：特表平１−５０３４７３号（異議申立人ユニ・チャーム株式会社の提出した甲第１号証）
刊行物３：米国特許第４４９６３６０号明細書（異議申立人勝野智子の提出した甲第１号証）
刊行物４：米国特許第２７３３７１５号明細書（異議申立人勝野智子の提出した甲第３号証）　
　
３−３．取消しの理由１について
　本件訂正前の特許請求の範囲の請求項６は訂正により削除されたので、上記の取消しの理由は解消された。
　
３−４．取消しの理由２について
３−４−１．本件発明
　本件請求項１乃至６に係る発明は、訂正明細書の特許請求の範囲の請求項１乃至６に記載された事項により特定される以下のとおりのものである。
「【請求項１】　液透過性のトップシートと、これに相対する液不透過性のバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記吸収性本体の長手方向に沿う両側縁が自由端となっており、少なくとも上記両側縁に伸縮部材を配置することにより、着用時に上方に起立した股下部に股下ギャザーを形成してあり、上記レッグ開口部に伸縮弾性部材によりレッグギャザーを形成したことを特徴とする吸収性物品。
　【請求項２】　液透過性のトップシートと、これに相対する液不透過性のバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記吸収性本体の長手方向に沿う両側縁が自由端となっており、少なくとも上記両側縁に伸縮部材を配置することにより、着用時に上方に起立した股下部に股下ギャザーを形成してあり、上記最外層シートのウエスト開口部とレッグ開口部との間に、伸縮弾性部材により着用者の胴まわりを締め付ける胴回りギャザーを形成したことを特徴とする吸収性物品。
　【請求項３】　上記最外層シートのウエスト開口部とレッグ開口部との間に、伸縮弾性部材により着用者の胴まわりを締め付ける胴回りギャザーを形成したことを特徴とする請求項１項に記載の吸収性物品。
　【請求項４】　上記最外層シートのレッグ開口部に伸縮弾性部材により、レッグギャザーを形成したことを特徴とする請求項２項に記載の吸収性物品。
　【請求項５】　上記最外層シートのウエスト開口部に、伸縮弾性部材により、ウエストギャザーを形成したことを特徴とする請求項１〜４項の何れかに記載の吸収性物品。
　【請求項６】　上記吸収性本体が上記最外層シートから剥離自在であることを特徴とする請求項１〜５項の何れかに記載の吸収性物品。」
　
３−４−２．引用刊行物に記載された事項
　当審が通知した取消しの理由２に引用された刊行物１には、以下の事項が図面とともに記載されている。
（ａ）「パンツ部材とその股下区域の内面にパッド部材を組み付けた使い捨て失禁処理物品」［特許請求の範囲（１）］
（ｂ）「前記パンツ部材は…（中略）…複合シートからなる」［特許請求の範囲（１）ａ．］
（ｃ）「前記複合シートは、撥水処理してある」［特許請求の範囲（８）］
（ｄ）「パンツ部材２は、第１図に示すように予め完全なパンツ型に形成したもの、すなわち、ウエスト回り両側を予め分離不能に、好ましくは超音波溶着により接合したものと…（中略）…パンツ型に組み立てるものとを含む。」［第２頁左上欄第１５行〜同頁右上欄第５行］
（ｅ）「パンツ部材２の股下区域両側または／およびウエスト回りには、第１図、第２図に示すように必要に応じて伸縮弾性帯域９、１０を設けることがあり、その場合には、…（中略）…伸張したゴム・ポリウレタンなどのリボンまたはテープを一体的に介在させるなどの手段が採られる。」［第２頁左下欄第６〜１２行］
（ｆ）「パッド部材３は、第５図に示すようにプラスチックフィルムなどの不透液性シート１１上に粉砕パルプなどの吸液性コア１２を積層し、これを不織布などの透液性シート１３で被覆してなる。」［第２頁左下欄第１３〜１６行］
（ｇ）「パンツ部材２のパッド部材３に対する組み付け手段が両面粘着テープなどの剥離可能なものであり、しかもパンツ部材２がその着用により体液で汚損しないような場合には、該パンツ部材に新しいパッド部材３を組み付けて再使用することもできる。」［第２頁右下欄第１２〜１７行］
（ｈ）第５図には、複合シート７からなる部材（パンツ部材２）上に、透液性シート１３、吸液性コア及び不透液性シート１１からなる部材（パッド部材３）を、不透液性シート１１が複合シート７に全面的に接するように組み付けられている態様が示されている。
　同じく引用された刊行物２には、以下の事項が図面とともに示されている。
（ｉ）「弾性不織ウエブが単数又は複数のギャザリング可能な不織ウエブに合わされ、ウエスト開口部、脚開口部、中央股セクション、この股セクションで分離された前後パネル及び前記脚開口部とウエスト開口部及び前記前パネルと後ろパネル間にのそれぞれ延びこれらを相互接続している１対のサイドパネルを構成している、通気性のあるエラストマー不織製外側カバー」及び「液体浸透性ある体側のライナー、液体不浸透性のバリヤ及びその間に置かれた吸収性の複合材を含む、前記前後パネル及び前記股セクションの上にほぼ積重なることのできる吸収性のインサート構造」を含む「使い捨て吸収性下着」［特許請求の範囲１．の記載参照］
（ｊ）「前記、インサートにはそれぞれ前記前後ウエストセクションの選定された前後ウエスト取付けゾーン内にとり付けられた相対する縦方向端部が含まれ、このインサートの下にある単数又は複数のフリースパンゾーンを構成している」［特許請求の範囲（２）の記載参照］
（ｋ）「第７図を参照すると、…（中略）…インサートが着用者の会陰部の輪郭により密にそうようにするため、ライナー（３４）に股のゴム繊維入り布（６０）を適用することもできる。」［第５頁左上欄第１９〜２７行の記載参照］
（ｌ）「第７図を見ればわかるように、バリヤ（３６）は、ライナー（３４）が吸収性の芯（３８）の上部表面を横切って延びこれを接触している状態で、吸収性の芯（３８）（幻影で示されている）のサイド（７０）及び底部（６８）を密にとり囲み、インサート（３２）に全体的に矩形のボート形状を与えている。…（中略）…吸収性芯（３８）のほぼまわりにあるライナー（３４）とバリヤ（３６）の間の周囲ボンド（４０）には、間欠的ボンド或いは又（好ましくは）連続的自生ボンドが含まれうる。周囲ボンド（４０）は、芯（３８）の中間部分に沿って波状であって、その中により大きな柔軟性とスカラップ状の縁部を与えていても良い。」［第５頁右上欄第２３行〜同頁左下欄第８行］
（ｍ）第６図には、インサートの中央股部両側に波状部分が記載され、その内側に番号６０の付された部材が点線で示されている。
　同じく引用された刊行物３には、以下の事項が図面とともに示されている。（異議申立人勝野智子の提出した翻訳文参照）
（ｎ）「例示的な３要素複合汚物保持ガーメント３０が図１に示されており、弾性レグカフス３６をもつ汚物保持インサート３５、弾性レグカフス５６をもつ外装ガーメント５５，インサート３５と外装ガーメント５５の中間にあり、長方形の従来の布おむつのような非弾性上層ガーメント７５、および着用者に非弾性上層ガーメントを密着させるための安全ピン７６のような手段を含んでいる。」［第３欄第２５〜３６行の記載参照］
（ｏ）インサート３５は十分に引っ張られた状態で非弾性部材７５（上層ガーメント）の内面に乗せる形で固定され、非弾性部材７５は、インサート３５の弾性レグカフス３６がその引っ張りにより生じた力により着用者の肌に密着するようにするようにあてがわれる。［第３欄第３７〜４６行の記載参照］
（ｐ）外装ガーメント５５は、インサート３５と非弾性上層ガーメント７５の組み合わせ全体を覆うように用いられ、その横閉じ部が固定される。［第３欄第４６〜４９行の記載参照］
（ｑ）図２に示される例示的な汚物保持インサート３５は、弾性レッグカフス３６及び、剥離可能なカバー部材３８を有する接着域３９をもつバックシート３７、トップシート４１、吸収体４２、及び弾性糸４３を含む［第３欄第６６行〜第４欄第１０行の記載参照］
（ｒ）例示的なインサート３５のバックシート３７は光沢のないポリエチレンフィルムであり、トップシート４１はポリプロピレン不織布でエアレイド繊維吸収体をもち、弾性糸４３はバックシートに張り付けらる前に伸長されている。［第４欄第１１〜３５行の記載参照］
（ｓ）図５は図２の汚物保持インサート３５の５−５に沿った横方向断面図である。図５に示すように、インサート３５のバックシート３７とトップシート４１は吸収体４２の縦方向両側縁４４及び４５に沿って併さっており、そこから外方に同じ場所で伸びている。弾性糸４３はインサートの縦方向両側縁４６及び４７に隣接してトップシート４１とバックシート３７の間に接着されている。吸収体の端４４及び４５から外方に伸びたバックシートとトップシートの積層域は弾性糸４３の弾性と併せた曲がり易さから弾性レグカフスと呼ばれる。これらカフスのうち液体の封じ込めに最も寄与するのは弾性糸に隣接した部分であり、着用時に弾性糸の各対に対して１本の液止め線或いは液止め帯が形成される。［第５欄第６４〜第６欄第１７行の記載参照］
（ｔ）第１図には、長手方向両側縁が立ち上がるようにギャザーが形成され、４つの隅に接着域をカバーするカバー部材３８を有するインサート３５が、矩形の上層ガーメント７５及び外装ガーメント５５とともに示されている。
　同じく引用された刊行物４には、股部及び腰部をもつ防水シート材料からなるパンツ覆材の股部側縁部に、該パンツ覆材の全内部とほぼ同じ大きさの矩形おむつパッドをその中央側端部において取り付け、取り付けられた中央側端部及び股部にギャザーを形成する弾性手段と、取り付け部の前後に伸びるおむつパッドの一対のフラップ部をパンツ覆部の腰部に取り外し可能に固定する手段を有する幼児ガーメントについての発明が記載されている。［第３欄１１行〜第４欄８行の記載、異議申立人勝野智子の提出した翻訳文参照］
　
３−４−３．対比・判断
　本件請求項１に係る発明と上記刊行物１に記載された発明とを対比すると、上記刊行物１に記載された「パッド部材３」並びにそれを構成する「透液性シート１３」、「不透液性シート１１」及び「吸液性コア１２」は、それぞれ本件請求項１に係る発明の「吸収性本体」並びに「液透過性のトップシート」、「液不透過性のバックシート」及び「吸収体」に相当し、上記「吸液性コア１２」は不透液性シート上に積層され透液性シートで覆われているので、相対する両シート間に配置されていることになる。また、刊行物１に記載された「パンツ部材２」は、着用者のウエストを囲んでその内面に組み付けたパッド部材３を着用者に当てて保持するものと認められ、本件請求項１に係る発明の「最外層シート」に対応し、該パンツ部材２にパッド部材３を組み付けてなる「使い捨て失禁処理物品」は、本件請求項１に係る発明の「吸収性物品」に対応する。
　さらに刊行物１には、パンツ部材２を構成する複合シートとして、撥水処理された撥水性のものが示され［記載（ｂ）及び（ｃ）］、該パンツ部材２のウエスト回り両側部が予め分離不能に接合される［記載（ｄ）］ものは、腹側部及び背側部それぞれの両側縁部を接合固定してウエスト開口部と一対のレッグ開口部が形成されているものと認められ［第１図参照］、パンツ部材２の股下区域には、伸縮弾性帯域９を設ける［記載（ｅ）］ことで、レッグ開口部にレッグギャザーが形成される［第１図参照］こと、パッド部材３とパンツ部材２との組み付け手段として両面粘着テープが示されている［記載（ｇ）］ことで、両者を接合することが示されていることになる。
　したがって、本件請求項１に係る発明と刊行物１に記載された発明とは、「液透過性のトップシートと、これに相対する液不透過性のバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記レッグ開口部に伸縮弾性部材によりレッグギャザーを形成した吸収性物品」である点で一致しており、本件請求項１に係る発明においては「吸収性本体の長手方向に沿う両側縁が自由端となっており、少なくとも上記両側縁に伸縮部材を配置することにより、着用時に上方に起立した股下部に股下ギャザーを形成」してあるのに対し、刊行物１には、パッド部材の長手方向両側縁が自由端になっていること及び該両側縁に伸縮部材を配置することにより、着用時に上方に起立した股下ギャザーを股下部に形成することについて何も記載されていない点で相違している。
　そこで、上記の相違点について検討する。
　上記刊行物２には、本件請求項１に係る発明の「吸収性本体」を「最外層シート」に取り付けてなる「吸収性物品」に対応する、「吸収性インサート（３２）」と「外側カバー（１２）」を含む「吸収性下着」が記載されている。そして上記記載（ｊ）によれば、上記吸収性インサートはその縦方向両端部が外側カバーの前後ウエスト取付けゾーン内に取り付けられており、その他の部分はフリーな状態にあるものと認められ、本件請求項１に係る発明の「吸収体」に相当する吸収性芯（３８）のほぼまわりに本件請求項１に係る発明の「トップシート」及び「バックシート」に相当する「ライナー（３４）」及び「バリヤ（３６）」からなるスカラップ状の縁部があり［記載（ｌ）］、該縁部は股部において波状になっていることが認められ［記載（ｍ）］、該インサートを着用者の会陰部に密に沿うようにライナー（３４）に股のゴム繊維入り布（６０）すなわち伸縮部材を適用することが示されている。
　しかし、上記刊行物２に記載された吸収性インサートは、その縦方向両端部以外の部分では外側カバーに取り付けられてはおらず、また、ゴム繊維入り布も吸収性インサートの両側縁部に配置されるものではないので、着用時には、縦方向両端部を外側カバーに固定された吸収性インサートの全体がゴム繊維入り布の収縮力により会陰に沿うように押し上げられ、上記相違点に係る構成の「上方に起立した股下ギャザー」を形成するものとはなり得ない。
　すなわち、刊行物２には、上記の相違点にかかる構成は、記載も示唆もされていない。
　また刊行物３には、トップシート４１とバックシート３７及びこれらの間に配置された吸収体４２を含む汚物保持インサート３５が、吸収体の端から外方に伸びる両側縁４６及び４７に弾性糸を配設した弾性レグカフスを有し、これらカフスが液体を封じ込めるように弾性糸に隣接した部分で液止め線或いは液止め帯を形成する［記載（ｑ）〜（ｓ）］こと、インサート３５は引っ張られた状態で非弾性部材７５（上層ガーメント）の内面に乗せる形で固定され、非弾性部材７５はインサート３５の弾性レグカフス３６がその引っ張りにより生じた力により着用者の肌に密着するようにあてがわれる［記載（ｏ）］ことから、インサートの両側縁が自由端になっており、伸縮部材を配置することにより着用者の肌に密着するように立ち上がり、ギャザーを形成することは認めることができるが、上記インサート３５は、本件請求項１に係る発明の「吸収性本体」や刊行物１に記載された「パッド部材３」のように、最外層シートに取り付けられるものではなく、長方形の従来の布おむつのような非弾性上層ガーメント７５に固定され、着用者にあてがわれるものであり、外装ガーメント５５は、上記のインサート３５と非弾性上層ガーメントの組み合わせを覆うように用いられるものである［記載ｎ〜ｐ参照］。
　してみると、刊行物３に記載された「インサート３５」が上記のように両側縁に起立したギャザーを備える点で、本件請求項１に係る発明の吸収性本体と共通するものであっても、この起立したギャザーは、着用時の最外層となる外装ガーメントと関連するものではないので、上記刊行物１に記載されたような最外層シートであるパンツ部材に取り付けられ、しかも両側縁にカフスのような自由端部が存在しない「パッド部材」にこれを適用することは当業者が容易になし得る事項であるとはいえず、また、仮に適用しても、上記相違点に係る構成とはなり得ない。
　さらに刊行物４には、パンツ覆材部の内部に矩形おむつパッドを取り付け、その取り付け部に弾性部材によるギャザーを形成することが記載されているが、該取り付け部は本件請求項１に係る発明のパッド部材の長手方向両側縁のように自由端になっているものでもなく、該ギャザーが着用時に起立するものとも認められない。
　すなわち、刊行物４には、上記の相違点にかかる構成は、記載も示唆もされていない。
　したがって、本件請求項１に係る発明は、上記刊行物１乃至４に記載された発明に基づいて当業者が容易に発明をすることができたものとすることはできない。
　そして、本件請求項２乃至６に係る発明は、いずれも本件請求項１に係る発明の上記相違点に係る構成を具備するものであるので、上記の本件請求項１に係る発明について述べたと同じ理由により、上記刊行物１乃至４に記載された発明に基づいて当業者が容易に発明をすることができたものとすることはできない。
　
３−５．異議申立人の主張について
　異議申立人勝野智子が、訂正前の本件請求項１及び５乃至７に係る発明はいずれも甲第１号証（上記刊行物３）に記載された発明であるとする主張は、上記のように、甲第１号証に記載された「複合型汚物保持ガーメント」はその基本的構成において本件請求項１に係る発明の「吸収性物品」とは相違しているのであるから、本件請求項１及びその構成をすべて含む他の請求項に係る発明のいずれも甲第１号証に記載された発明ということはできない。
　また、異議申立人勝野智子は、訂正前の本件請求項１に係る発明と甲第１号証に記載された発明とが、外層シートが撥水処理されたものである点でのみ相違するとして、甲第２号証（上記刊行物１）にパンツ部材を撥水処理した不織布で構成することが記載されているので、訂正前の本件請求項１に係る発明は甲第１及び２号証に記載された発明に基づいて当業者が容易に発明をすることができたものである旨主張しているが、上記のように、その基本的構成において本件請求項１に係る発明の「吸収性物品」とは相違する甲第１号証に記載の「複合型汚物保持ガーメント」の最外層となる外装ガーメントに甲第２号証に記載された撥水処理を施しても、本件請求項１に係る発明の構成とはなり得ない。
　異議申立人ユニ・チャーム株式会社は、甲第１号証（上記刊行物２）には、着用時に上方に起立した股下ギャザーが形成される旨の記載がないとした上で、甲第２号証及び甲第３号証に記載された事項を適用すれば、訂正前の本件請求項１に係る発明の構成となりうる旨主張しているが、上記甲第２号証には、使い捨ておむつの「吸収性構造体」として、甲第１号証に記載された「吸収性インサート」と同じ構造のものが示されており、該吸収性構造体もまた着用時に上方に起立した股下ギャザーを形成するものとは認められず、甲第３号証には、使い捨ておむつの吸収体のたわみ性のへりに固定された弾性部材により着用者の股下区域に当たる部分が伸縮可能になる旨が記載され、図面には、弾性部材を有する両側縁部が内方に折り返された状態でその縦方向端部が固定され、湾曲したとき上記両側縁部がギャザーのように立ち上がっているおむつの吸収体が示されてはいるが、上記おむつの吸収体は、併用されるおむつカバーに固定されるものではなく、着用時には全体が自由に移動しうるものであって、「吸収性本体の長手方向に沿う両側縁が自由端となっており、少なくとも上記両側縁に伸縮部材を配置することにより、着用時に上方に起立した股下部に股下ギャザーを形成」するものではないので、上記甲第１号証に記載された発明に上記甲第２乃至３号証に開示された事項をいかに適用しても本件請求項１に係る発明の吸収性本体の上記の構成とはなり得ないものと認められる。
　さらに、異議申立人ユニ・チャーム株式会社の提出した甲第４乃至６号証を検討しても、本件請求項１に係る発明の上記の構成については記載も示唆もされていない。
　したがって、上記の異議申立人勝野智子及びユニ・チャーム株式会社の主張はいずれも採用できない。
　
４．むすび
　以上のとおりであるから、特許異議申立ての理由及び証拠によっては、本件請求項１乃至６に係る特許を取り消すことはできない。
　また、他に本件請求項１乃至６に係る特許を取り消すべき理由を発見しない。
　したがって、本件請求項１乃至６に係る特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１１月１４日（２００２．１１．１４）
【訂正の要旨】
訂正の要旨
ａ．特許請求の範囲の減縮を目的として、特許請求の範囲の【請求項１】の記載、
「【請求項１】　液透過性のトップシートと、これに相対するバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記吸収性本体の長手方向に沿う両側縁が自由端となっており、少なくとも上記両側縁に伸縮部材を配置することにより、着用時に上方に起立した股下部に股下ギャザーを形成してあり、上記レッグ開口部に伸縮弾性部材によりレッグギャザーを形成したことを特徴とする吸収性物品。」を、
「【請求項１】　液透過性のトップシートと、これに相対する液不透過性のバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記吸収性本体の長手方向に沿う両側縁が自由端となっており、少なくとも上記両側縁に伸縮部材を配置することにより、着用時に上方に起立した股下部に股下ギャザーを形成してあり、上記レッグ開口部に伸縮弾性部材によりレッグギャザーを形成したことを特徴とする吸収性物品。」と訂正する。
ｂ．特許請求の範囲の減縮及び誤記の訂正を目的として、特許請求の範囲の【請求項２】の記載、
「【請求項２】　透過性のトップシートと、これに相対するバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記吸収性本体の長手方向に沿う両側縁が自由端となっており、少なくとも上記両側縁に伸縮部材を配置することにより、着用時に上方に起立した股下部に股下ギャザーを形成してあり、上記最外層シートのウエスト開口部とレッグ開口部との間に、伸縮弾性部材により着用者の胴まわりを締め付ける胴回りギャザーを形成したことを特徴とする吸収性物品。」を、
「【請求項２】　液透過性のトップシートと、これに相対する液不透過性のバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記吸収性本体の長手方向に沿う両側縁が自由端となっており、少なくとも上記両側縁に伸縮部材を配置することにより、着用時に上方に起立した股下部に股下ギャザーを形成してあり、上記最外層シートのウエスト開口部とレッグ開口部との間に、伸縮弾性部材により着用者の胴まわりを締め付ける胴回りギャザーを形成したことを特徴とする吸収性物品。」と訂正する。
ｃ．特許請求の範囲の減縮を目的として、特許請求の範囲の【請求項６】を削除する。
ｄ．明りょうでない記載の釈明を目的として、特許請求の範囲の【請求項７】の記載、
「【請求項７】　上記吸収性本体が上記最外層シートから剥離自在であることを特徴とする請求項１〜６項の何れかに記載の吸収性物品。」を、
「【請求項６】　上記吸収性本体が上記最外層シートから剥離自在であることを特徴とする請求項１〜５項の何れかに記載の吸収性物品。」と訂正する。
（５４）【発明の名称】
吸収性物品
（５７）【特許請求の範囲】
　【請求項１】　液透過性のトップシートと、これに相対する
液不透過性の
　【請求項２】　
液
液不透過性の
　【請求項３】　上記最外層シートのウエスト開口部とレッグ開口部との間に、伸縮弾性部材により着用者の胴まわりを締め付ける胴回りギャザーを形成したことを特徴とする請求項１項に記載の吸収性物品。
　【請求項４】　上記最外層シートのレッグ開口部に伸縮弾性部材により、レッグギャザーを形成したことを特徴とする請求項２項に記載の吸収性物品。
　【請求項５】　上記最外層シートのウエスト開口部に、伸縮弾性部材により、ウエストギャザーを形成したことを特徴とする請求項１〜４項の何れかに記載の吸収性物品。
　【請求項６】　
上記吸収性本体が上記最外層シートから剥離自在であることを特徴とする請求項１〜５項の何れかに記載の吸収性物品
【発明の詳細な説明】
　【０００１】
　【産業上の利用分野】
　本発明は、吸収性物品、特に、幼児用、成人用あるいは失禁者用として用いられる使い捨ておむつ等の吸収性物品に関する。
　【０００２】
　【従来の技術】
　従来の使い捨ておむつ等の吸収性物品は、例えば、特公昭５２−４０２６７号公報に開示されているように、液透過性のトップシートと液不透過性のバックシートと、これらの両シート間に位置する吸収体とからおむつ本体を構成し、該おむつ本体の左右に延出するサイドフラップに伸縮弾性部材を配設してギャザーを形成し、かつ該サイドフラップにおける背側の両側端縁に止着具を配設して調節可能とすることにより、フィット性、防漏性の向上を意図したいわゆるフラット型のおむつが一般的である。さらに、特開昭６２−２５０２０１号公報に開示されているように、レッグ部のギャザーを立体化したり、吸収体周囲のフラップ部を撥水性にして防漏効果を高めたものが知られている。
　【０００３】
　しかし、最近では、フィット性及び装着性の向上を目的として、特開昭５７−７７３０４号公報に開示されているように、左右一対のサイドフラップにおける腹側領域と背側領域を互いに接合固定して左右一対のレッグ開口部及びウエスト開口部をそれぞれ形成した、いわゆるパンツ型の使い捨ておむつが提案されている。該パンツ型の使い捨ておむつは、レッグ開口部及びウエスト開口部がそれぞれ伸縮自在に形成されて体型にフィットするように構成されている。このようなパンツ型の使い捨ておむつは、通常、着用者自らが、立位の状態で着用することができ、幼児の「おむつ離れ」を促進するためのトイレットトレーニング用として、または失禁者もしくは歩行不可能な成人用として有用とされている。
　【０００４】
　【発明が解決しようとする課題】
　しかしながら、上述の従来のパンツ型の使い捨ておむつは、股下部を狭く形成しなければならないので、伸縮弾性部材が吸収体から離間して配置することができず、その結果、吸収体の剛性の影響を受け、本来の伸縮物性を発揮することが困難であった。同時に両側縁部の接合部分は伸縮弾性部材により、しわや隙間が生じ易く、排泄物が漏れる原因となっていた。また、漏れ防止策として効果的なレッグギャザーの立体化も、股下部が狭いこと、製造面において困難があるという問題があった。
　【０００５】
　排泄物、特に尿のにじみ漏れ防止策として効果的な周囲撥水化技術も、パンツ型おむつにおいては、これも股下部が狭いことにより、親水部分と撥水部分を明確に区別して形成することができないため、十分な効果が発揮させることができなかった。さらに、パンツ型おむつの従来の製造方法では搬送上、ウエスト部分に撥水部を設けることは不可能であった。
　【０００６】
　また、従来の使い捨ておむつは、排泄物を吸収し、保持するのは、排尿ポイント付近だけであり、かかる部分のみが汚れ、他の部分、例えば、ウエストの側部は実質的に汚れることがないので、おむつ全体を捨てるのでは、無駄を生じるとともに、不経済である。従って、本発明の目的は排泄物の漏れを有効に防止できる吸収性物品を提供することにある。
　【０００７】
　また、本発明の他の目的は、排泄物による汚れ部分のみの取り替えが可能な吸収性物品を提供することにある。
　【０００８】
　【課題を解決するための手段】
　本発明は、透過性のトップシートと、これに相対するバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記吸収性本体の長手方向に沿う両側縁が自由端となっており、少なくとも上記両側縁に伸縮部材を配置することにより、着用時に上方に起立した股下部に股下ギャザーを形成してあり、上記レッグ開口部に伸縮弾性部材によりレッグギャザーを形成したことを特徴とする吸収性物品を提供することにより、上記目的を達成したものである。
　【０００９】
　また、本発明は、透過性のトップシートと、これに相対するバックシートと、これら両シート間に配置された吸収体とを有する吸収性本体、及び該吸収性本体が接合され着用時に着用者のウエストを囲んで上記吸収性本体を着用者にあてて保持する撥水性の最外層シートを備えた吸収性物品において、上記最外層シートの腹側部及び背側部それぞれの両側縁部を接合固定してウエスト開口部と一対のレッグ開口部とを形成してあり、上記吸収性本体の長手方向に沿う両側縁が自由端となっており、少なくとも上記両側縁に伸縮部材を配置することにより、着用時に上方に起立した股下部に股下ギャザーを形成してあり、上記最外層シートのウエスト開口部とレッグ開口部との間に、伸縮弾性部材により着用者の胴まわりを締め付ける胴回りギャザーを形成したことを特徴とする吸収性物品を提供することにより、上記目的を達成したものである。
　【００１０】
　【００１１】
　【００１２】
　【作用】
　本発明の吸収性物品によれば、最外層シートに吸収性本体を接合し、該吸収性本体を着用者の股下部に当て、通常の下着と同様にして着用する。着用中においては、吸収性本体の両側縁が自由端となっており、且つ、弾性部材が伸縮してレッグギャザーを形成することにより、吸収性本体が着用者の脚部にフィットして排泄物を充分に保持、吸収するので、排泄物の滲み漏れを確実に防止することができる。
　【００１３】
　また、本発明の吸収性物品においては、最外層シートから吸収性本体剥離可能に接合すれば排泄後には、取り替え用の新たな吸収性本体を最外層シートの該部分に固着して最外層シートを再使用することが可能である。
　【００１４】
　【実施例】
　以下に、添付の図面を参照し乍ら、本発明の好ましい一実施例を詳細に説明する。始めに、添付図面の図１〜図４を参照して本発明の第１実施例について説明する。
　【００１５】
　図１は本発明の第１実施例による使い捨ておむつの斜視図、図２は図１に示す使い捨ておむつを展開した状態の一部切り欠き平面図、図３は図１に示す使い捨ておむつをＩＩＩーＩＩＩ線に沿って切断した断面図、図４は図１に示す使い捨ておむつをＩＶーＩＶ線に沿って切断した断面図である。本発明の第１実施例による吸収性物品としての使い捨ておむつ１は、いわゆるパンツ型の使い捨ておむつであり、図１及び２に示すように、液透過性のトップシート１５と、これに相対するバックシート１６と、これら両シート間に配置された吸収体１７とを有する吸収性本体３、及び該吸収性本体３が接合され着用時に着用者のウエストを囲んで該吸収性本体を着用者にあてて保持する撥水性の最外層シート２を備えた使い捨ておむつにおいて、上記最外層シート２の腹側に位置する腹側部と背側に位置する背側部のそれぞれの両側縁部を接合固定してウエスト開口部１１と一対のレッグ開口部７、７とを形成してあり、上記最外層シート２のレッグ開口部７、７に伸縮弾性部材（第３弾性部材）１３によりレッグギャザー１３ａを形成してある。
　【００１６】
　最外層シート２は、吸収性本体３よりも実質的に大きな寸法の略四角形形状に形成され、その長手方向略中央には吸収性本体３が接着材Ａにより剥離自在に固着されている。吸収性本体３が接着されている両側部には凹欠部６が形成されており、パンツ型を形成したときにレッグ開口部７、７を形成するようになっている。凹欠部６の形成されているくびれ部分の上方と下方とには、夫々、吸収性本体３の両側から幅方向外方に左右一対のサイドフラップ８、８と９、９とが延出されている。
　【００１７】
　サイドフラップ８、８と９、９との夫々の端縁は、上下のサイドフラップ８、９を接合部にて互いに融着してパンツ型を形成するようになっている。また、最外層シート２の長手方向における端縁部には、吸収性本体３の外方へ延出する一対のウエストフラップ１０ａ、１０ｂが設けられ、パンツ型を形成した際に、ウエスト開口部１１が形成されるようになっている。ウエストフラップ１０ａ、１０ｂには、夫々第２弾性部材１２が、サイドフラップの凹欠部６には第３弾性部材１３が張設され、それぞれウエストフラップのギャザー１２ａ、レッグ部のギャザー１３ａを形成し、着用時に着用者へのフィット性を高め、ずれ落ち防止が図られている。更に、着用時にウエスト開口部１１とレッグ開口部７、７との間に第４弾性部材１４が張設されて、着用者の胴回りのフィット性を高めるようになっている。
　【００１８】
　吸収性本体３は、最外層シート２に接着された際に、凹欠部６に張設された第３弾性部材１３の内側に位置するように配置され、レッグギャザー１３ａと股下ギャザー５とが順次重ならずに形成されるようになっている。吸収性本体３は、着用者の肌に接する側を形成する液透過性のトップシート１５と、該トップシート１５の対応する液不透過性のバックシート１６と、トップシート１５とバックシート１６との間に介在された吸収体１７とから構成されている。また、吸収性本体３には、該吸収体１７の両側縁から幅方向外方へ延出する左右一対の本体フラップ１８、１８と、該本体フラップ１８、１８の両側縁のそれぞれに股下ギャザー５を形成するように上述した第１弾性部材４、４が吸収性本体３の長手方向に沿って張設されている。
　【００１９】
　この本体フラップ１８、１８は自由端となっており、吸収性本体３はその底面において、バックシート１６の略中央部のみが接着されて、股下ギャザー５の形成を容易にしている。トップシート１５は、排泄物を吸収体１７へ透過させる液透過性シートで肌着に近い感触を有したものが好ましく、このような液透過性シートとしては、例えば、織布、不織布、多孔性フィルム等が好ましい。また、トップシート１５の周縁部にシリコン系油剤、パラフィンワックス等の疎水性化合物を塗布する方法や、予めアルキルリン酸エステルのような親水性化合物を塗布し、周縁を温水で洗浄する方法により撥水処理を施し、周縁部における尿等の滲みによる漏れを防止することができる。
　【００２０】
　バックシート１６は、熱可塑性樹脂にフィラーを加えて延伸した透湿性のある液不透過性シートや肌着に近い感触を有したもの、例えば、フィルムと不織布との複合材あるいはフィルムと織布の複合材等が用いられる。吸収体１７は、解繊パルプを主材とし、高分子吸水ポリマーを併用したものが好ましく、そのほか、熱可塑性樹脂、セルロース繊維、高分子吸水ポリマーの混合物を熱処理したものなどが好ましい。高分子吸水ポリマーの存在位置は上層、中層、下層のいずれであってもよく、パルプと混合したものであってもよい。該高分子吸水ポリマーは、自重の２０倍以上の液体を吸収して保持し得る保持性能を有し、ゲル化する性質を有する粒子状のものが好ましく、このような高分子吸水ポリマーとしては、例えば、デンプン−アクリル酸（塩）グラフト共重合体、デンプン−アクリロニトリル酸（塩）重合体などが好ましい。吸収体１７の形状としては、着用者の体型に合わせた砂時計の形状が好ましいが、矩形であってもよい。
　【００２１】
　最外層シート２は、好ましくは液不透過性で、通気性を有し、肌着に近い感触の高可撓性シートであって、このようなシートとしては、撥水処理を施した織布、不織布などが挙げられる。特に、液不透過性フィルムの片面もしくは両面を不織布でラミネート加工したものが、感触、尿等の滲みによる漏れ防止機能に優れ、特に好ましい。
　【００２２】
　第１、第２、第３、第４弾性部材４、１２、１３、１４は、一般に伸長した状態で吸収性本体３及び最外層シート２に超音波溶着、熱溶着、接着剤などの業界公知の手段を用いて接合される。材質としては、糸ゴム、平ゴム、フィルムタイプのゴムあるいはテープ状の発泡ポリウレタンなど、業界で公知のものであれば何でも使用することができ、１本あるいは複数本であってもよい。かかる弾性部材は、１５０％伸長時の応力が７０〜１００ｇであるものが特に好ましい。
　【００２３】
　接着材Ａは、剥離自在な公知の接着材等が用いられており、吸収性本体３の内側、好ましくは吸収体１７の内側にて、点状または線状に接着される。接着剤Ａの材料としては、ホットメルト接着剤、スチレン・ブタジエン共重合体、アクリル酸エステル共重合体、酢酸ビニル、エチレン・オレフィン共重合体、石油系樹脂、コールドグルー等が使用される。
　【００２４】
　次に、第１実施例の作用について説明する。図２に示す展開状態の最外層シート２のサイドフラップ８、９の側縁を互いに接合して図１に示すような、ウエスト開口部１１と一対のレッグ開口部７、７を形成したパンツ型のおむつを形成する。この最外層シート２には、その内側に吸収性本体３が接着剤Ａにより剥離自在に接着されている。
　【００２５】
　着用時には、ウエスト開口部１１に両足を通して、パンツ型のおむつを引き上げて、各レッグ開口部７、７に脚を通して着用する。着用中においては、最外層シート２のウエスト開口部１１、及びレッグ開口部７、７においてギャザーが形成されており、着用者へのフィット性、追従性及び漏れ防止性が図られている。更に、第４の弾性部材１４により胴回りにおける着用者へのフィット性が向上されている。
　【００２６】
　着用中には、吸収性本体３において、股下ギャザー５が形成されており、排泄物等が吸収性本体３から最外層シート２へ漏れが防止される。また、上記最外層シート２のレッグ開口部７、７のレッグギャザーと共に二重のギャザーが形成されているので脚部からの確実な漏れ防止が図られているのである。そして、排泄物の排泄後には、吸収性本体３を最外層シート２から剥離して、新たな吸収性本体３を最外層シート２に接着剤Ａにより接着して交換する。このように、第１実施例によれば、排泄物により汚れた吸収性本体のみの交換を容易におこなうことができる。
　【００２７】
　【００２８】
　【００２９】
　【００３０】
　【００３１】
　【００３２】
　【００３３】
　【００３４】
　本発明は上述した実施例に限定されず、本発明の要旨を逸脱しない範囲で種々変形可能である。
　【００３５】
　例えば、上述した第１実施例では、最外層シート２の両側縁には弾性部材は配置されておらず、吸収性本体３に第１弾性部材４が配置され、股下ギャザー５を形成するようになっていてもよい。また、上述した第１実施例では、最外層シート２のサイドフラップに第３弾性部材１３を配置してレッグ開口部７、７にレッグギャザーを形成したが、吸収性本体３に股下ギャザー５を形成していればよく、第３弾性部材１３はなくてもよい。
　【００３６】
　【００３７】
　【発明の効果】
　本発明の吸収性物品によれば、排泄物の漏れを有効に防止でき且つ排泄物による汚れ部分のみの取り替えが可能である。
【図面の簡単な説明】
　【図１】
　本発明の第１実施例の使い捨ておむつの斜視図である。
　【図２】
　図１に示す使い捨ておむつを展開した状態の一部切り欠き平面図である。
　【図３】
　図１に示す使い捨ておむつをＩＩＩ−ＩＩＩ線に沿って切断した断面図である。
　【図４】
　図１に示す使い捨ておむつをＩＶ−ＩＶ線に沿って切断した断面図である。
　【符号の説明】
　１　使い捨ておむつ
　２　最外層シート
　３　吸収性本体
　４　第１弾性部材
　５　股下ギャザー
　１２　第２弾性部材
　１２ａ　ウエストギャザー
　１５　トップシート
　１６　バックシート
　１７　吸収体
　Ａ　接着材
【図面】